(57)【特許請求の範囲】
【請求項１】
画像形成装置であって、
ユーザによる操作入力を受け付ける入力制御手段と、
モード設定用の設定画面とジョブを一覧表示するジョブリスト画面とを、前記操作入力に応じて表示部に選択的に表示する表示制御手段と、
を備え、
前記表示制御手段は、
モード設定に関する設定操作期間中に前記ジョブリスト画面の表示指示である第１の指示が受け付けられる場合には、前記ジョブリスト画面を前記表示部に表示し、
前記設定操作期間中にて前記モード設定に関する設定項目の設定画面の表示後に受け付けられる前記第１の指示に応じた前記ジョブリスト画面の表示中に前記ジョブリスト画面の非表示指示である第２の指示が受け付けられる場合には、前記ジョブリスト画面を非表示化するとともに、前記設定操作期間中の操作内容に関する情報表示画面を前記表示部に表示することを特徴とする画像形成装置。
【請求項２】
請求項１に記載の画像形成装置において、
前記表示制御手段は、前記情報表示画面として、前記設定操作期間中に利用された少なくとも１つの設定画面を表示することを特徴とする画像形成装置。
【請求項３】
請求項２に記載の画像形成装置において、
前記表示制御手段は、前記情報表示画面として、前記設定操作期間中において最後に表示された設定画面である最後の設定画面を表示することを特徴とする画像形成装置。
【請求項４】
請求項３に記載の画像形成装置において、
前記表示制御手段は、
前記最後の設定画面の表示中に前記第１の指示が受け付けられる場合には、前記最後の設定画面を非表示化するとともに前記ジョブリスト画面を表示し、
前記ジョブリスト画面の表示中に前記第２の指示が受け付けられる場合には、前記ジョブリスト画面を非表示化するとともに、前記最後の設定画面を前記情報表示画面として表示することを特徴とする画像形成装置。
【請求項５】
請求項２に記載の画像形成装置において、
前記表示制御手段は、前記情報表示画面として、前記設定操作期間中において最後に設定変更された設定項目に関する設定画面である最後の設定画面を表示することを特徴とする画像形成装置。
【請求項６】
請求項２に記載の画像形成装置において、
前記表示制御手段は、前記情報表示画面として、前記設定操作期間中において最初に表示された設定画面である最初の設定画面を表示することを特徴とする画像形成装置。
【請求項７】
請求項２に記載の画像形成装置において、
前記表示制御手段は、前記情報表示画面として、前記設定操作期間中において最初に設定変更された設定項目に関する設定画面である最初の設定画面を表示することを特徴とする画像形成装置。
【請求項８】
請求項２に記載の画像形成装置において、
前記表示制御手段は、前記情報表示画面として、前記設定操作期間中において表示された２以上の設定画面を前記設定操作期間中の表示順に従って表示することを特徴とする画像形成装置。
【請求項９】
請求項８に記載の画像形成装置において、
前記表示制御手段は、前記情報表示画面として、前記設定操作期間中において最初に表示された設定画面から前記設定操作期間中において最後に表示された設定画面までの各設定画面を前記表示順に従って表示することを特徴とする画像形成装置。
【請求項１０】
請求項２に記載の画像形成装置において、
前記表示制御手段は、前記情報表示画面として、前記設定操作期間中において設定変更された設定項目に関する２以上の設定画面を前記設定操作期間中の設定変更順に従って表示することを特徴とする画像形成装置。
【請求項１１】
請求項１０に記載の画像形成装置において、
前記表示制御手段は、前記情報表示画面として、前記設定操作期間中において最初に設定変更された設定項目に関する設定画面から前記設定操作期間中において最後に設定変更された設定項目に関する設定画面までの各設定画面を前記設定変更順に従って表示することを特徴とする画像形成装置。
【請求項１２】
請求項１に記載の画像形成装置において、
前記表示制御手段は、前記情報表示画面として、前記設定操作期間中の設定操作における操作履歴の一覧画面を表示することを特徴とする画像形成装置。
【請求項１３】
請求項１２に記載の画像形成装置において、
前記表示制御手段は、前記設定操作期間中における操作対象の一または複数の設定項目を前記一覧画面に表示するとともに、前記一または複数の設定項目のうち前記ユーザによって選択された特定の設定項目に対応する特定の設定画面を前記表示部に表示することを特徴とする画像形成装置。
【請求項１４】
請求項３に記載の画像形成装置において、
前記表示制御手段は、
前記第１の指示の受付時には前記最後の設定画面が前記表示部に表示されており且つ前記第２の指示が前記ジョブリスト画面の表示中に受け付けられる場合には、前記第２の指示に応答して、前記ジョブリスト画面を非表示化するとともに前記最後の設定画面を前記情報表示画面として表示し、
前記第１の指示の受付時には前記最後の設定画面が前記表示部に表示されておらず且つ前記第２の指示が前記ジョブリスト画面の表示中に受け付けられる場合には、前記第２の指示に応答して、前記設定操作期間中の設定操作における操作履歴の一覧画面を前記情報表示画面として表示することを特徴とする画像形成装置。
【請求項１５】
請求項１に記載の画像形成装置において、
前記設定操作期間中の操作内容に関する履歴情報を操作履歴情報として記憶する記憶手段、
をさらに備え、
前記表示制御手段は、前記第２の指示が受け付けられた場合には、前記操作履歴情報に基づいて前記情報表示画面を決定することを特徴とする画像形成装置。
【請求項１６】
請求項１５に記載の画像形成装置において、
前記記憶手段は、前記設定操作期間中における設定変更履歴情報を前記操作履歴情報として記録し、
前記表示制御手段は、前記設定変更履歴情報に基づいて、前記設定操作期間中に設定変更された少なくとも１つの設定画面を前記情報表示画面として前記表示部に表示することを特徴とする画像形成装置。
【請求項１７】
請求項１５に記載の画像形成装置において、
前記記憶手段は、前記設定操作期間中に前記表示部に表示された設定画面に係る表示履歴情報を前記操作履歴情報として記録し、
前記表示制御手段は、前記設定変更履歴情報に基づいて、前記設定操作期間中に表示された少なくとも１つの設定画面を前記情報表示画面として前記表示部に表示することを特徴とする画像形成装置。
【請求項１８】
コンピュータを、
ユーザによる操作入力を受け付ける入力制御手段と、
画像形成システムのモード設定用の設定画面と前記画像形成システムのジョブを一覧表示するジョブリスト画面とを、前記操作入力に応じて表示部に選択的に表示する表示制御手段と、
を備える装置として機能させるためのプログラムであって、
前記表示制御手段は、
モード設定に関する設定操作期間中に前記ジョブリスト画面の表示指示である第１の指示が受け付けられた場合には、前記ジョブリスト画面を前記表示部に表示し、
前記設定操作期間中にて前記モード設定に関する設定項目の設定画面の表示後に受け付けられる前記第１の指示に応じた前記ジョブリスト画面の表示中に前記ジョブリスト画面の非表示指示である第２の指示が受け付けられる場合には、前記ジョブリスト画面を非表示化するとともに、前記設定操作期間中の操作内容に関する情報表示画面を前記表示部に表示することを特徴とするプログラム。
【請求項１９】
画像形成システムに用いられる表示制御装置であって、
ユーザによる操作入力を受け付ける入力制御手段と、
モード設定用の設定画面とジョブを一覧表示するジョブリスト画面とを、前記操作入力に応じて表示部に選択的に表示する表示制御手段と、
を備え、
前記表示制御手段は、
モード設定に関する設定操作期間中に前記ジョブリスト画面の表示指示である第１の指示が受け付けられる場合には、前記ジョブリスト画面を前記表示部に表示し、
前記設定操作期間中にて前記モード設定に関する設定項目の設定画面の表示後に受け付けられる前記第１の指示に応じた前記ジョブリスト画面の表示中に前記ジョブリスト画面の非表示指示である第２の指示が受け付けられる場合には、前記ジョブリスト画面を非表示化するとともに、前記設定操作期間中の操作内容に関する情報表示画面を前記表示部に表示することを特徴とする表示制御装置。
【発明の詳細な説明】
【技術分野】
【０００１】
本発明は、画像形成装置およびそれに関連する技術に関する。
【背景技術】
【０００２】
画像形成装置においては、表示部（操作パネル等）を搭載し、各種の画面を表示するものが存在する。例えば、特許文献１に記載の画像形成装置の表示部（液晶表示部等）内においては、モード設定用の設定画面に関する一の部分領域とジョブの一覧画面等に関する他の部分領域とに区分された２つの部分領域が排他的に設けられる。
【先行技術文献】
【特許文献】
【０００３】
【特許文献１】特開２００９−３７０１７号公報
【発明の概要】
【発明が解決しようとする課題】
【０００４】
しかしながら、特許文献１に記載の画像形成装置においては、モード設定用の設定画面は上記一の部分領域内にしか表示され得ず、ジョブの一覧画面等は上記他の部分領域内にしか表示され得ない。換言すれば、モード設定用の設定画面に係る表示部への表示は上記一の部分領域内に限定され、且つ、ジョブの一覧画面等に係る表示部への表示は上記他の部分領域内に限定される。このように、特許文献１に記載の技術においては、当該表示部を有効に活用できないという問題が存在する。
【０００５】
そこで、この発明の課題は、表示部を有効に活用することが可能な画像形成装置およびそれに関連する技術を提供することにある。
【課題を解決するための手段】
【０００６】
上記課題を解決すべく、請求項１の発明は、画像形成装置であって、ユーザによる操作入力を受け付ける入力制御手段と、モード設定用の設定画面とジョブを一覧表示するジョブリスト画面とを、前記操作入力に応じて表示部に選択的に表示する表示制御手段と、を備え、前記表示制御手段は、モード設定に関する設定操作期間中に前記ジョブリスト画面の表示指示である第１の指示が受け付けられる場合には、前記ジョブリスト画面を前記表示部に表示し、前記設定操作期間中にて前記モード設定に関する設定項目の設定画面の表示後に受け付けられる前記第１の指示に応じた前記ジョブリスト画面の表示中に前記ジョブリスト画面の非表示指示である第２の指示が受け付けられる場合には、前記ジョブリスト画面を非表示化するとともに、前記設定操作期間中の操作内容に関する情報表示画面を前記表示部に表示することを特徴とする。
【０００７】
請求項２の発明は、請求項１の発明に係る画像形成装置において、前記表示制御手段は、前記情報表示画面として、前記設定操作期間中に利用された少なくとも１つの設定画面を表示することを特徴とする。
【０００８】
請求項３の発明は、請求項２の発明に係る画像形成装置において、前記表示制御手段は、前記情報表示画面として、前記設定操作期間中において最後に表示された設定画面である最後の設定画面を表示することを特徴とする。
【０００９】
請求項４の発明は、請求項３の発明に係る画像形成装置において、前記表示制御手段は、前記最後の設定画面の表示中に前記第１の指示が受け付けられる場合には、前記最後の設定画面を非表示化するとともに前記ジョブリスト画面を表示し、前記ジョブリスト画面の表示中に前記第２の指示が受け付けられる場合には、前記ジョブリスト画面を非表示化するとともに、前記最後の設定画面を前記情報表示画面として表示することを特徴とする。
【００１０】
請求項５の発明は、請求項２の発明に係る画像形成装置において、前記表示制御手段は、前記情報表示画面として、前記設定操作期間中において最後に設定変更された設定項目に関する設定画面である最後の設定画面を表示することを特徴とする。
【００１１】
請求項６の発明は、請求項２の発明に係る画像形成装置において、前記表示制御手段は、前記情報表示画面として、前記設定操作期間中において最初に表示された設定画面である最初の設定画面を表示することを特徴とする。
【００１２】
請求項７の発明は、請求項２の発明に係る画像形成装置において、前記表示制御手段は、前記情報表示画面として、前記設定操作期間中において最初に設定変更された設定項目に関する設定画面である最初の設定画面を表示することを特徴とする。
【００１３】
請求項８の発明は、請求項２の発明に係る画像形成装置において、前記表示制御手段は、前記情報表示画面として、前記設定操作期間中において表示された２以上の設定画面を前記設定操作期間中の表示順に従って表示することを特徴とする。
【００１４】
請求項９の発明は、請求項８の発明に係る画像形成装置において、前記表示制御手段は、前記情報表示画面として、前記設定操作期間中において最初に表示された設定画面から前記設定操作期間中において最後に表示された設定画面までの各設定画面を前記表示順に従って表示することを特徴とする。
【００１５】
請求項１０の発明は、請求項２の発明に係る画像形成装置において、前記表示制御手段は、前記情報表示画面として、前記設定操作期間中において設定変更された設定項目に関する２以上の設定画面を前記設定操作期間中の設定変更順に従って表示することを特徴とする。
【００１６】
請求項１１の発明は、請求項１０の発明に係る画像形成装置において、前記表示制御手段は、前記情報表示画面として、前記設定操作期間中において最初に設定変更された設定項目に関する設定画面から前記設定操作期間中において最後に設定変更された設定項目に関する設定画面までの各設定画面を前記設定変更順に従って表示することを特徴とする。
【００１７】
請求項１２の発明は、請求項１の発明に係る画像形成装置において、前記表示制御手段は、前記情報表示画面として、前記設定操作期間中の設定操作における操作履歴の一覧画面を表示することを特徴とする。
【００１８】
請求項１３の発明は、請求項１２の発明に係る画像形成装置において、前記表示制御手段は、前記設定操作期間中における操作対象の一または複数の設定項目を前記一覧画面に表示するとともに、前記一または複数の設定項目のうち前記ユーザによって選択された特定の設定項目に対応する特定の設定画面を前記表示部に表示することを特徴とする。
【００１９】
請求項１４の発明は、請求項３の発明に係る画像形成装置において、前記表示制御手段は、前記第１の指示の受付時には前記最後の設定画面が前記表示部に表示されており且つ前記第２の指示が前記ジョブリスト画面の表示中に受け付けられる場合には、前記第２の指示に応答して、前記ジョブリスト画面を非表示化するとともに前記最後の設定画面を前記情報表示画面として表示し、前記第１の指示の受付時には前記最後の設定画面が前記表示部に表示されておらず且つ前記第２の指示が前記ジョブリスト画面の表示中に受け付けられる場合には、前記第２の指示に応答して、前記設定操作期間中の設定操作における操作履歴の一覧画面を前記情報表示画面として表示することを特徴とする。
【００２０】
請求項１５の発明は、請求項１の発明に係る画像形成装置において、前記設定操作期間中の操作内容に関する履歴情報を操作履歴情報として記憶する記憶手段、をさらに備え、前記表示制御手段は、前記第２の指示が受け付けられた場合には、前記操作履歴情報に基づいて前記情報表示画面を決定することを特徴とする。
【００２１】
請求項１６の発明は、請求項１５の発明に係る画像形成装置において、前記記憶手段は、前記設定操作期間中における設定変更履歴情報を前記操作履歴情報として記録し、前記表示制御手段は、前記設定変更履歴情報に基づいて、前記設定操作期間中に設定変更された少なくとも１つの設定画面を前記情報表示画面として前記表示部に表示することを特徴とする。
【００２２】
請求項１７の発明は、請求項１５の発明に係る画像形成装置において、前記記憶手段は、前記設定操作期間中に前記表示部に表示された設定画面に係る表示履歴情報を前記操作履歴情報として記録し、前記表示制御手段は、前記設定変更履歴情報に基づいて、前記設定操作期間中に表示された少なくとも１つの設定画面を前記情報表示画面として前記表示部に表示することを特徴とする。
【００２３】
請求項１８の発明は、コンピュータを、ユーザによる操作入力を受け付ける入力制御手段と、画像形成システムのモード設定用の設定画面と前記画像形成システムのジョブを一覧表示するジョブリスト画面とを、前記操作入力に応じて表示部に選択的に表示する表示制御手段と、を備える装置として機能させるためのプログラムであって、前記表示制御手段は、モード設定に関する設定操作期間中に前記ジョブリスト画面の表示指示である第１の指示が受け付けられた場合には、前記ジョブリスト画面を前記表示部に表示し、前記設定操作期間中にて前記モード設定に関する設定項目の設定画面の表示後に受け付けられる前記第１の指示に応じた前記ジョブリスト画面の表示中に前記ジョブリスト画面の非表示指示である第２の指示が受け付けられる場合には、前記ジョブリスト画面を非表示化するとともに、前記設定操作期間中の操作内容に関する情報表示画面を前記表示部に表示することを特徴とする。
請求項１９の発明は、表示制御装置であって、ユーザによる操作入力を受け付ける入力制御手段と、モード設定用の設定画面とジョブを一覧表示するジョブリスト画面とを、前記操作入力に応じて表示部に選択的に表示する表示制御手段と、を備え、前記表示制御手段は、モード設定に関する設定操作期間中に前記ジョブリスト画面の表示指示である第１の指示が受け付けられる場合には、前記ジョブリスト画面を前記表示部に表示し、前記設定操作期間中にて前記モード設定に関する設定項目の設定画面の表示後に受け付けられる前記第１の指示に応じた前記ジョブリスト画面の表示中に前記ジョブリスト画面の非表示指示である第２の指示が受け付けられる場合には、前記ジョブリスト画面を非表示化するとともに、前記設定操作期間中の操作内容に関する情報表示画面を前記表示部に表示することを特徴とする。
【発明の効果】
【００２４】
請求項１ないし請求項１９に記載の発明によれば、設定画面とジョブリスト画面とが操作入力に応じて表示部に選択的に表示されるので、設定画面が表示部内の一の部分領域内にしか表示され得ない状況を回避することが可能であるとともに、ジョブリスト画面が表示部内の他の部分領域内にしか表示され得ない状況を回避することも可能である。したがって、表示部を有効に活用することが可能である。また、モード設定に関する設定操作期間中にて当該モード設定に関する設定項目の設定画面の表示後に受け付けられる第１の指示に応じたジョブリスト画面の表示中に当該ジョブリスト画面に対する非表示指示が受け付けられた場合には、当該設定操作期間中の操作内容に関する情報表示画面が表示部に表示される。そのため、ジョブリスト画面に対する表示指示に応答して当該ジョブリスト画面が表示されモード設定に関する設定操作が中断されたとしても、その後、当該ジョブリスト画面に対する非表示指示に応答して情報表示画面が表示される。したがって、ユーザは、当該情報表示画面を用いて設定操作期間中における操作内容を容易に把握することが可能である。
【００２５】
特に、請求項２に記載の発明によれば、設定操作期間中の操作内容に関する情報表示画面として、設定操作期間中に利用された少なくとも１つの設定画面が表示されるので、当該少なくとも１つの設定画面をユーザが手動で表示させる場合に比べて、当該ユーザの手間を低減することが可能である。
【００２６】
また特に、請求項３に記載の発明によれば、設定操作期間中の操作内容に関する情報表示画面として、設定操作期間中において最後に表示された設定画面である最後の設定画面が表示されるので、ユーザは、当該最後の設定画面を用いて設定操作を容易に再開することが可能である。
【００２７】
また特に、請求項５に記載の発明によれば、設定操作期間中の操作内容に関する情報表示画面として、設定操作期間中において最後に設定変更された設定項目に関する設定画面である最後の設定画面が表示されるので、ユーザは、当該最後の設定画面を用いて設定操作を容易に再開することが可能である。
【００２８】
また特に、請求項６に記載の発明によれば、設定操作期間中の操作内容に関する情報表示画面として、設定操作期間中において最初に表示された設定画面である最初の設定画面が表示されるので、ユーザは、当該最初の設定画面を用いて設定操作期間中に最初に行った設定操作を容易に認識することが可能である。
【００２９】
また特に、請求項７に記載の発明によれば、設定操作期間中の操作内容に関する情報表示画面として、設定操作期間中において最初に設定変更された設定項目に関する設定画面である最初の設定画面が表示されるので、ユーザは、当該最初の設定画面を用いて設定操作期間中に最初に行った設定変更を容易に認識することが可能である。
【００３０】
また特に、請求項８に記載の発明によれば、設定操作期間中の操作内容に関する情報表示画面として、設定操作期間中において表示された２以上の設定画面が設定操作期間中の表示順に従って表示されるので、ユーザは、設定操作期間中に表示された２以上の設定画面を当該表示順に順次に認識することができる。
【００３１】
また特に、請求項１０に記載の発明によれば、設定操作期間中の操作内容に関する情報表示画面として、設定操作期間中において設定変更された設定項目に関する２以上の設定画面が設定操作期間中の設定変更順に従って表示されるので、ユーザは、設定操作期間中に行った設定変更を当該設定変更順に順次に認識することができる。
【００３２】
また特に、請求項１２に記載の発明によれば、設定操作期間中の操作内容に関する情報表示画面として、設定操作における操作履歴の一覧画面が表示されるので、ユーザは、当該一覧画面において設定操作期間中の操作内容を俯瞰して全体を把握することが可能である。
【００３３】
また特に、請求項１３に記載の発明によれば、設定操作期間中における操作対象の一又は複数の設定内容を一覧画面に表示するとともに、当該一又は複数の設定項目のうちユーザによって選択された特定の設定項目に対応する特定の設定画面が表示部に表示される。そのため、ユーザは、設定操作期間中における操作対象の一又は複数の設定項目を俯瞰して全体を把握した上で、特定の内容に対応する特定の設定画面を用いて設定操作を容易に再開することが可能である。
【図面の簡単な説明】
【００３４】
【図１】第１実施形態に係る画像形成装置の概略構成を示す図である。
【図２】画像形成装置の概略構成を示す機能ブロック図である。
【図３】操作パネル部の外観を示す図である。
【図４】操作履歴情報データを示す図である。
【図５】画像形成装置の動作を示すフローチャートである。
【図６】画像形成装置の動作を示すフローチャートである。
【図７】初期画面を示す図である。
【図８】設定画面を示す図である。
【図９】設定画面を示す図である。
【図１０】設定画面を示す図である。
【図１１】設定画面を示す図である。
【図１２】ジョブリスト画面を示す図である。
【図１３】第２実施形態に係る画像形成装置の動作を示すフローチャートである。
【図１４】一覧画面を示す図である。
【図１５】変形例に係る画像形成装置の動作を示すフローチャートである。
【図１６】変形例に係る操作履歴情報データを示す図である。
【図１７】変形例に係る画像形成装置の概略構成を示す図である。
【発明を実施するための形態】
【００３５】
以下、本発明の実施形態を図面に基づいて説明する。
【００３６】
＜１．第１実施形態＞
＜１−１．構成＞
図１は、本発明における画像形成装置１の外観を示す概略図である。ここでは、画像形成装置１は、マルチ・ファンクション・ペリフェラル（Multi Function Peripheral）（ＭＦＰとも略称する）として構成されているものとする。当該ＭＦＰは、スキャナ機能、プリンタ機能、コピー機能およびファクシミリ通信機能などを備える装置（複合機とも称する）である。
【００３７】
図２は、画像形成装置１の概略構成を示す機能ブロック図である。
【００３８】
図２に示すように、画像形成装置１は、画像読取部２、印刷出力部３、通信部４、格納部５、入出力部６およびコントローラ９等を備えており、これらの各部を複合的に動作させることによって、上記の各機能を実現する。
【００３９】
画像読取部２は、画像形成装置１の所定の位置に載置された原稿を光学的に読み取って、当該原稿の画像データ（原稿画像とも称する）を生成する処理部である。
【００４０】
印刷出力部３は、対象画像に関する画像データに基づいて紙などの各種の媒体に画像を印刷出力する出力部である。
【００４１】
通信部４は、公衆回線等を介したファクシミリ通信を行うことが可能な処理部である。さらに、通信部４は、通信ネットワークＮＷを介したネットワーク通信が可能である。このネットワーク通信では、ＴＣＰ／ＩＰ（Transmission Control Protocol / Internet Protocol）およびＦＴＰ（File Transfer Protocol）等の各種のプロトコルが利用され、当該ネットワーク通信を利用することによって、画像形成装置１は、所望の相手先との間で各種のデータを授受することが可能である。
【００４２】
格納部５は、ハードディスクドライブ（ＨＤＤ）および不揮発性メモリ等の格納装置で構成される。この格納部５には、図４に示す操作履歴情報データＴＢ１が格納される。操作履歴情報データＴＢ１には、設定操作期間中の操作内容に関する履歴情報（操作履歴情報）が記録される。
【００４３】
具体的には、図４に示すように、操作履歴情報データＴＢ１には、「設定項目」、「表示有無」、「設定変更有無」および「設定内容」の各種の情報が記録される。「設定項目」には、操作対象の設定項目（項目名称）が記録され、「表示有無」には、操作対象の設定項目に対応する設定画面ＳＧの表示の有無が記録される。「設定変更内容」には、操作対象の設定項目に係る設定変更の有無が記録され、「設定内容」には、操作対象の設定項目に係る設定内容が記録される。なお、「表示有無」に記録される情報は「表示履歴情報」などとも称され、「設定変更内容」に記録される情報は「設定変更履歴情報」などとも称される。
【００４４】
入出力部６は、画像形成装置１に対する入力を受け付ける操作入力部６ａと、各種情報の表示出力を行う表示部６ｂとを備えている。具体的には、画像形成装置１には、入出力部６として機能する操作パネル部６０（図１および図３参照）が設けられている。図３に示すように、この操作パネル部６０には、ハードキーＫＹ（ＫＹ１，ＫＹ２等）とタッチスクリーン６３とが設けられている。
【００４５】
ハードキーＫＹは、操作入力部６ａの一部として機能する。具体的には、ハードキーＫＹは、スタートキーＫＹ１、リセットキーＫＹ２およびその他のキー（テンキー等）等を含む。
【００４６】
また、タッチスクリーン６３は、液晶表示パネルに圧電センサ等が埋め込まれて構成されており、表示部６ｂの一部として機能するとともに、操作入力部６ａの一部としても機能する。詳細には、タッチスクリーン６３は、液晶表示パネルに各種の情報を表示することが可能であるとともに、液晶表示パネルに対するユーザの手指の操作位置を検知して、各種の入力を受け付けることも可能である。たとえば、タッチスクリーン６３に表示された仮想的なボタンがユーザの手指によって触れられると、このような操作は当該仮想的なボタンに対する押下操作であるとみなされる。
【００４７】
このように、入出力部６は、ユーザ（操作者等）に対して適宜の情報を表示することが可能であるとともに、ユーザによる入力操作を受け付けることが可能である。
【００４８】
コントローラ９は、画像形成装置１を統括的に制御する制御装置であり、ＣＰＵと、各種の半導体メモリ（ＲＡＭおよびＲＯＭ等）とを備えて構成される。コントローラ９は、画像形成装置に内蔵されたコンピュータであるとも表現される。コントローラ９の制御下において各種の処理部が動作することによって、画像形成装置１の各種の機能が実現される。コントローラ９は、ＣＰＵにおいて、ＲＯＭ（例えば、ＥＥＰＲＯＭ等）内に格納されている所定のソフトウェアプログラム（以下、単にプログラムとも称する）ＰＧ（ＰＧ１とも称する）を実行することによって、各種の処理部を実現する。
【００４９】
具体的には、コントローラ９は、入力制御部１１、表示制御部１２および履歴記録部１３等を含む各種の処理部を実現する。入力制御部１１は、ユーザから操作入力を受け付ける処理部である。また、表示制御部１２は、操作パネル部６０内のタッチスクリーン６３等における表示内容を制御する処理部である。履歴記録部１３は、設定操作期間中の操作内容に関する履歴情報を操作履歴情報データＴＢ１として記録する処理部である。
【００５０】
＜１−２．動作＞
上述したように、表示部内に２つの部分領域が排他的に設けられた画像形成装置においては、モード設定用の設定画面は当該２つの部分領域のうちの一の部分領域にしか表示され得ず、ジョブの一覧画面等は当該２つの部分領域のうちの他の部分領域にしか表示され得ない。
【００５１】
これに対して、この実施形態に係る画像形成装置１は、後述するように、モード設定用の設定画面ＳＧ（図８〜図１１等参照）とジョブを一覧表示するジョブリスト画面ＪＧ（図１２参照）とを、ユーザからの操作入力に応じて（操作入力に応答して）タッチスクリーン６３に選択的に表示する。そのため、設定画面ＳＧがタッチスクリーン６３内の一の部分領域にしか表示され得ない状況を回避することが可能であるとともに、ジョブリスト画面ＪＧがタッチスクリーン６３内の他の部分領域にしか表示され得ない状況を回避することも可能である。したがって、タッチスクリーン６３（ひいては表示部６ｂ）を有効に活用することが可能である。
【００５２】
ところで、設定画面ＳＧとジョブリスト画面ＪＧとを選択的に表示する技術としては、たとえば、設定画面ＳＧの表示中に「ＯＫ」ボタン又は「中止」ボタンを押下して設定画面ＳＧを閉じた後にのみ他方の画面（ジョブリスト画面ＪＧ）を表示することが可能な技術が考えられる。換言すれば、表示中の設定画面ＳＧに対して非表示指示を付与して当該設定画面ＳＧを非表示化した後に、ジョブリスト画面ＪＧの表示指示を付与してジョブリスト画面ＪＧを表示させる技術が考えられる。
【００５３】
ここで、このような技術において、ユーザＵＡがモード設定に関する設定操作を行っている途中で、ユーザＵＢがジョブリスト画面ＪＧを閲覧したいという状況を想定する。この状況においては、まず設定画面ＳＧの表示中に「ＯＫ」ボタン又は「中止」ボタンが押下され設定画面ＳＧが一旦非表示化された後に、ジョブリスト画面ＪＧの表示指示に応答してジョブリスト画面ＪＧがタッチスクリーン６３に表示されればよい。これにより、ユーザＵＡの設定操作が中断され、ユーザＵＢはジョブリスト画面ＪＧの閲覧を行うことができる。また、ジョブリスト画面ＪＧの閲覧終了後には、ユーザＵＡは自らの操作で設定対象項目に係る設定画面を再び呼び出すことによって、設定操作を再開することができる。
【００５４】
しかしながら、モード設定に関する設定操作の中断を余儀なくされるユーザＵＡは、ジョブリスト画面ＪＧの閲覧後に設定画面ＳＧを再開する際に、（ジョブリスト画面ＪＧの閲覧期間の長さ等にも依るが）中断前の設定操作に関する操作内容を忘却している可能性も有り、設定操作を再開することが困難になることもある。
【００５５】
そこで、この実施形態においては、後述するように、画像形成装置１は、ジョブリスト画面ＪＧ（図１２参照）に対する非表示指示ＲＣ２に応答して、ジョブリスト画面ＪＧを非表示化するとともに、モード設定に関する設定操作期間ＴＭ中に利用された設定画面ＳＧ（図８〜図１１等）をタッチスクリーン６３に表示する。より詳細には、画像形成装置１は、設定操作期間中において最後に表示された設定画面ＳＧである最後の設定画面（最後の表示画面とも称される）ＳＧをタッチスクリーン６３に表示する。そのため、ジョブリスト画面ＪＧに対する表示指示ＲＣ１に応答してジョブリスト画面ＪＧが表示されモード設定に関する設定操作が中断されたとしても、その後、ジョブリスト画面ＪＧに対する非表示指示ＲＣ２に応答して最後の設定画面ＳＧが表示される。したがって、ユーザは、当該最後の設定画面ＳＧを閲覧することにより、設定操作期間ＴＭ中に最後に行った設定操作を、容易に認識することが可能である。
【００５６】
以下では、図５〜図１２を参照しながら、画像形成装置１における動作について詳細に説明する。
【００５７】
図５および図６は、本実施形態に係る画像形成装置１の動作を示すフローチャートである。また、図７〜図１２は、タッチスクリーン６３に表示される画面ＧＡ１〜画面ＧＡ６を示す図である。
【００５８】
より詳細には、図７は、電源投入直後或いはリセットキーＫＹ２（図３参照）の押下直後等にタッチスクリーン６３に表示される初期画面（以下、デフォルト画面とも称する）ＧＡ１を示す図である。図８は、「カラー」モード設定用の設定画面ＳＧ１２を有する画面ＧＡ２を示す図である。図９は、「用紙」モード設定用の設定画面ＳＧ１４を有する画面ＧＡ３を示す図である。図１０は、「両面／ページ集約」モード設定用の設定画面ＳＧ１６を有する画面ＧＡ４を示す図である。また、図１１は、「仕上り」モード設定用の設定画面ＳＧ１７を有する画面ＧＡ５を示す図である。また、図１２は、ジョブリスト画面ＪＧを有する画面ＧＡ６を示す図である。
【００５９】
図７に示すデフォルト画面ＧＡ１には、「原稿画質」、「カラー」、「濃度」、「用紙」、「倍率」、「両面／ページ集約」および「仕上り」の各種設定項目に対応する（仮想的な）ボタンＢＮ１１〜ＢＮ１７が表示されている。
【００６０】
これらのボタンＢＮ１１〜ＢＮ１７のいずれかが押下されると、表示制御部１２は、対応する設定項目の設定画面ＳＧをタッチスクリーン６３にポップアップ形式で表示する。ユーザは、この設定画面ＳＧ（図８〜図１１参照）を利用することにより、各種のモード設定を行うことが可能である。
【００６１】
また、画面ＧＡ１〜画面ＧＡ６（図７〜図１２）には、「ジョブ表示」ボタンＢＮ２１も表示されている。この「ジョブ表示」ボタンＢＮ２１が押下され、ジョブリスト画面ＪＧに対する表示指示（ジョブリスト画面ＪＧを表示する指示）ＲＣ１が受け付けられると、表示制御部１２は、図１２に示すジョブリスト画面ＪＧをタッチスクリーン６３にポップアップ形式で表示する。
【００６２】
図１２に示すジョブリスト画面ＪＧには、実行中ジョブ（印刷中ジョブ等）および待機ジョブ（印刷待ちジョブ等）等を含むジョブの一覧が表示される。
【００６３】
また、ジョブリスト画面ＪＧには、当該ジョブリスト画面ＪＧに対する非表示指示（ジョブリスト画面ＪＧを非表示化する指示）ＲＣ２を受け付けるための「閉じる」ボタン（図中において太丸で囲まれた文字「閉じる」を有するボタン）が表示されている。ジョブリスト画面ＪＧの表示中に「閉じる」ボタンが押下されると、表示制御部１２は、ジョブリスト画面ＪＧに対する非表示指示ＲＣ２が受け付けられたものと判定して、当該ジョブリスト画面ＪＧを非表示化する。また、ジョブリスト画面ＪＧの表示中にリセットキーＫＹ２（図３参照）或いは「ジョブ表示」ボタンＢＮ２１が押下された場合においても、ジョブリスト画面ＪＧに対する非表示指示ＲＣ２が受け付けられたものと判定して、表示制御部１２は、当該ジョブリスト画面ＪＧを非表示化する。
【００６４】
なお、ジョブリスト画面ＪＧの表示中においては、ジョブリスト画面ＪＧの外部に表示される各ボタン（ボタンＢＮ１１〜ＢＮ１７等）は、誤操作を防止するため、原則として、無効化される。ただし、「ジョブ表示」ボタンＢＮ２１は、上述したようにジョブリスト画面ＪＧに対する非表示指示ＲＣ２を受け付けるため、例外的にジョブリスト画面ＪＧの表示中においても有効であるものとする。
【００６５】
以下では、４種類の設定項目（（１）「カラー」、（２）「用紙」、（３）「両面／ページ集約」および（４）「仕上り」）に関する設定操作が時刻Ｔ１０から時刻Ｔ２０までの設定操作期間ＴＭ中において順次に行われ、その後、（５）ジョブリスト画面ＪＧの表示処理、および（６）ジョブリスト画面ＪＧの非表示処理等が引き続いて行われる場合について説明する。
【００６６】
（１）はじめに、設定項目「カラー」に関する設定操作が行われる。具体的には、設定項目「カラー」に対応する設定画面ＳＧ１２が表示された後、デフォルトの「オートカラー」モードが「フルカラー」モードに設定変更される。
【００６７】
詳細には、まず時刻Ｔ１０において、画面ＧＡ１（図７）内のボタンＢＮ１２が押下されると、図５のステップＳ１１において、設定項目「カラー」に関する設定操作が行われた（より詳細には開始された）と判定され、ステップＳ１２に進む。
【００６８】
ステップＳ１２において、表示制御部１２は、図８の設定画面ＳＧ１２をタッチスクリーン６３にポップアップ形式で表示する。また、履歴記録部１３は、操作履歴情報データＴＢ１の内容を更新する。具体的には、履歴記録部１３は、図４に示すように、操作履歴情報データＴＢ１の１番目の「設定項目」に「カラー」を記録するとともに、「表示有無」に「有」を記録する。すなわち、設定項目「カラー」に関する設定画面ＳＧ１２が表示されたことが記録される。なお、この時点においては、設定項目「カラー」のモード設定に関する設定操作は未だ行われていないため、履歴記録部１３は、操作履歴情報データＴＢ１の１番目の「設定変更有無」に「無」を記録するとともに、「設定内容」にはデフォルトの「オートカラー」を記録する。
【００６９】
操作履歴情報データＴＢ１が更新されると、ステップＳ１３において、スタートキーＫＹ１又は「ジョブ表示」ボタンＢＮ２１が押下されたか否かが判定される。スタートキーＫＹ１又は「ジョブ表示」ボタンＢＮ２１が押下されたと判定されると、ステップＳ１４に進み、それ以外の場合には、ステップＳ１１に戻る。この時点においては、スタートキーＫＹ１と「ジョブ表示」ボタンＢＮ２１とのいずれもが押下されておらず、ステップＳ１１に進む。
【００７０】
ステップＳ１１〜ステップＳ１３の処理は、スタートキーＫＹ１又は「ジョブ表示」ボタンＢＮ２１が押下されたと判定されるまで繰り返し実行される。この実行状態は、各種操作部材の押下操作を待機している状態（以下、待機状態ＷＳ１とも称する）とも称される。なお、待機状態ＷＳ１においては、スタートキーＫＹ１又は「ジョブ表示」ボタンＢＮ２１による押下操作のみならず、設定項目に関する設定操作も受け付けられる。
【００７１】
この待機状態ＷＳ１において、今度は、設定画面ＳＧ１２（図８）内の「フルカラー」ボタン（図中において矩形で囲まれた文字「フルカラー」を有するボタン）が押下され更に「ＯＫ」ボタン（図中において太丸で囲まれた文字「ＯＫ」を有するボタン）が押下される。そして、当該押下操作に応答して、設定項目「カラー」に関する設定操作が行われたと再び判定され、ステップＳ１１からステップＳ１２に進む。
【００７２】
ステップＳ１２において、画像形成装置１は、設定項目「カラー」に関するモードをデフォルトの「オートカラー」から「フルカラー」に設定変更する。
【００７３】
また、履歴記録部１３は、図４に示すように、操作履歴情報データＴＢ１の１番目の「設定変更有無」に「有」を記録するとともに、「設定内容」に「フルカラー」を記録する。すなわち、設定項目「カラー」に関する設定変更がなされたこと、およびその設定内容が記録される。
【００７４】
さらに、表示制御部１２は、設定画面ＳＧ１２を非表示化する。
【００７５】
そして、ステップＳ１３を経てステップＳ１１に戻り、再び待機状態ＷＳ１に移行する。
【００７６】
なお、図８の設定画面ＳＧ１２において「ＯＫ」ボタンではなく「中止」ボタン（図中において太丸で囲まれた文字「中止」を有するボタン）が押下されるときには、画像形成装置１は、設定項目「カラー」に関するモードを設定変更することなく、当該設定画面ＳＧ１２を非表示化する。例えば、設定画面ＳＧ１２において「フルカラー」ボタンが選択された後「中止」ボタンが押下されると、画像形成装置１は、設定項目「カラー」に関するモードを「オートカラー」から「フルカラー」に設定変更せずに、設定画面ＳＧ１２を非表示化する。
【００７７】
（２）続いて、設定項目「用紙」に関する設定操作が行われる。具体的には、設定項目「用紙」に対応する設定画面ＳＧ１４が表示された後、デフォルトの「自動」モードが設定変更されることなく、当該設定画面ＳＧ１４が非表示化される。
【００７８】
詳細には、まず画面ＧＡ１内のボタンＢＮ１４が押下されると、図５のステップＳ１１において、設定項目「用紙」に関する設定操作が行われたと判定され、ステップＳ１２に進む。
【００７９】
ステップＳ１２において、表示制御部１２は、図９の設定画面ＳＧ１４をタッチスクリーン６３にポップアップ形式で表示する。また、履歴記録部１３は、図４に示すように、操作履歴情報データＴＢ１の２番目の「設定項目」に「用紙」を記録するとともに、「表示有無」に「有」を記録する。すなわち、設定項目「用紙」に関する設定画面ＳＧ１４が表示されたことが記録される。なお、この時点においては、設定項目「用紙」のモード設定に関する設定操作は未だ行われていないため、履歴記録部１３は、操作履歴情報データＴＢ１の２番目の「設定変更有無」に「無」を記録するとともに、「設定内容」にはデフォルトモードである「自動」を記録する。
【００８０】
そして、ステップＳ１３を経てステップＳ１１に戻り、再び待機状態ＷＳ１に移行する。
【００８１】
その後、待機状態ＷＳ１において、モード設定に関する設定変更操作が行われることなく、設定画面ＳＧ１４（図９）内の「ＯＫ」ボタン或いは「中止」ボタンが押下される。当該ボタンの押下操作に応答して、表示制御部１２は、設定画面ＳＧ１４を非表示化する。
【００８２】
（３）続いて、設定項目「両面／ページ集約」のモード設定に関する設定操作が行われる。具体的には、設定項目「両面／ページ集約」に対応する設定画面ＳＧ１６が表示された後、デフォルトの「片面＞片面／しない」モードが「片面＞片面／２ｉｎ１」モードに設定変更される。
【００８３】
詳細には、まず画面ＧＡ１内のボタンＢＮ１６が押下されると、図５のステップＳ１１において、設定項目「両面／ページ集約」に関する設定操作が行われたと判定され、ステップＳ１２に進む。
【００８４】
ステップＳ１２において、表示制御部１２は、図１０の設定画面ＳＧ１６をタッチスクリーン６３にポップアップ形式で表示する。また、履歴記録部１３は、図４に示すように、操作履歴情報データＴＢ１の３番目の「設定項目」に「両面／ページ集約」を記録するとともに、「表示有無」に「有」を記録する。すなわち、設定項目「両面／ページ集約」に関する設定画面ＳＧ１６が表示されたことが記録される。なお、この時点においては、設定項目「両面／ページ集約」のモード設定に関する設定操作は未だ行われていないため、履歴記録部１３は、操作履歴情報データＴＢ１の３番目の「設定変更有無」に「無」を記録するとともに、「設定内容」にはデフォルトモードである「片面＞片面／しない」を記録する。
【００８５】
そして、ステップＳ１３を経てステップＳ１１に戻り、再び待機状態ＷＳ１に移行する。
【００８６】
待機状態ＷＳ１において、今度は、設定画面ＳＧ１６（図１０）内の「２ｉｎ１」ボタンが押下され更に「ＯＫ」ボタンが押下される。そして、当該操作に応答して、ステップＳ１１において、再び設定項目「両面／ページ集約」に関する設定操作が行われたと判定され、ステップＳ１２に進む。
【００８７】
ステップＳ１２において、画像形成装置１は、設定項目「両面／ページ集約」に関するモードをデフォルトの「片面＞片面／しない」から「片面＞片面／２ｉｎ１」に設定変更する。また、履歴記録部１３は、図４に示すように、操作履歴情報データＴＢ１の３番目の「設定変更有無」に「有」を記録するとともに、「設定内容」に「片面＞片面／２ｉｎ１」を記録する。さらに、表示制御部１２は、設定画面ＳＧ１６を非表示化する。
【００８８】
そして、再び待機状態ＷＳ１に移行する。
【００８９】
（４）最後に、設定項目「仕上り」に関する設定操作が行われる。具体的には、設定項目「仕上り」に対応する設定画面ＳＧ１７が表示される。なお、後述するように、この設定画面ＳＧ１７の表示中（すなわち最後の設定操作の途中）にジョブリスト画面ＪＧに対する表示指示ＲＣ１が受け付けられる。
【００９０】
詳細には、画面ＧＡ１内のＢＮ１７が押下されると、設定項目「仕上り」に関する設定操作が行われたと判定され、ステップＳ１１からステップＳ１２に進む。
【００９１】
ステップＳ１２において、表示制御部１２は、図１１の設定画面ＳＧ１７をタッチスクリーン６３にポップアップ形式で表示する。また、履歴記録部１３は、図４に示すように、操作履歴情報データＴＢ１の４番目の「設定項目」に「仕上り」を記録するとともに、「表示有無」に「有」を記録する。すなわち、設定項目「仕上り」に関する設定画面ＳＧ１７が表示されたことが記録される。なお、この時点においては、設定項目「仕上り」のモード設定に関する設定操作は未だ行われていないため、履歴記録部１３は、操作履歴情報データＴＢ１の４番目の「設定変更有無」に「無」を記録するとともに、「設定内容」にはデフォルトモードである「ステープルなし」を記録する。
【００９２】
そして、再び待機状態ＷＳ１に移行する。
【００９３】
以上のようにして、各種の設定項目（「カラー」、「用紙」、「両面／ページ集約」および「仕上り」等）に関する設定操作が行われるとともに、設定操作期間ＴＭ中の操作内容に関する履歴情報が操作履歴情報データＴＢ１として記録される。
【００９４】
（５）続いて、設定画面ＳＧ１７の表示中の時刻Ｔ２０においてジョブリスト画面ＪＧに対する表示指示ＲＣ１が受け付けられ、当該表示指示ＲＣ１に応答して、ジョブリスト画面ＪＧの表示処理等が行われる。
【００９５】
詳細には、図１１の設定画面ＳＧ１７の表示中に、「ジョブ表示」ボタンＢＮ２１が押下され、ジョブリスト画面ＪＧに対する表示指示ＲＣ１が受け付けられる。当該表示指示ＲＣ１が受け付けられると、ステップＳ１３およびステップＳ１４を経て、ステップＳ１５に進む。
【００９６】
ステップＳ１５においては、設定操作期間ＴＭ（時刻Ｔ１０〜時刻Ｔ２０）中において最後に表示された設定画面ＳＧ１７がタッチスクリーン６３に表示中であるか否かが判定される。最後に表示された設定画面ＳＧ１７が表示中である場合には、ステップＳ１６に進み、それ以外の場合には、ステップＳ１７に進む。ここでは、設定画面ＳＧ１７の表示中に「ジョブ表示」ボタンＢＮ２１が押下されているため、ステップＳ１６に進む。
【００９７】
ステップＳ１６においては、表示制御部１２は、設定操作期間ＴＭ中に最後に表示された設定画面ＳＧ１７を非表示化する。設定画面ＳＧ１７が非表示化されると、ステップＳ１７において、表示制御部１２は、図１２に示すように、ジョブリスト画面ＪＧをタッチスクリーン６３に表示する。
【００９８】
そして、ステップＳ１７からステップＳ１８に進む。ステップＳ１８においては、ジョブリスト画面ＪＧの非表示指示ＲＣ２が受け付けられたか否かが判定される。ステップＳ１８の処理は、ジョブリスト画面ＪＧの非表示指示ＲＣ２が受け付けられるまで継続される。ステップＳ１８の処理の実行状態は、非表示指示ＲＣ２を待機する状態（以下、待機状態ＷＳ２とも称する）であるとも表現される。
【００９９】
（６）その後、ジョブリスト画面ＪＧの表示中（換言すれば、（非表示指示ＲＣ２の）待機状態ＷＳ２）において、当該ジョブリスト画面ＪＧに対する非表示指示ＲＣ２が受け付けられ、当該非表示指示ＲＣ２に応答してジョブリスト画面ＪＧの非表示化処理等が実行される。
【０１００】
詳細には、ジョブリスト画面ＪＧの表示中に、例えば、「閉じる」ボタンが押下され、ジョブリスト画面ＪＧに対する非表示指示ＲＣ２が受け付けられると、ステップＳ１８からステップＳ１９に進む。
【０１０１】
ステップＳ１９においては、表示制御部１２は、非表示指示ＲＣ２に応答して、ジョブリスト画面ＪＧを非表示化するとともに、操作履歴情報データＴＢ１（図４参照）に基づいて、設定操作期間ＴＭ中の操作内容に関する表示画面（以下、情報表示画面ＩＧとも称する）を表示する。
【０１０２】
より具体的には、まず、表示制御部１２は、操作履歴情報データＴＢ１に記録された「表示有無」の情報（表示履歴情報）に基づいて、設定操作期間ＴＭ中に最後に表示された設定画面ＳＧを情報表示画面ＩＧとして決定する。ここでは、図４に示すように、設定項目「仕上り」が最後（４番目）に記録されており且つ「表示有無（表示履歴情報）」に「有」が記録されているので、表示制御部１２は、設定項目「仕上り」に対応する設定画面ＳＧ１７を情報表示画面ＩＧとして決定する。そして、表示制御部１２は、ジョブリスト画面ＪＧを非表示化するとともに、設定操作期間ＴＭ中に最後に表示された設定画面ＳＧ１７をタッチスクリーン６３に表示する。
【０１０３】
ステップＳ１９の処理が終了すると、再びステップＳ１１に戻り、待機状態ＷＳ１に移行する。
【０１０４】
その後、待機状態ＷＳ１においてスタートキーＫＹ１が押下されると、図５のステップＳ１４からステップＳ２０に進む。ステップＳ２０においては、画像形成装置１は、対象ジョブ（たとえば対象コピージョブ）を実行する。さらに、画像形成装置１は、操作履歴情報データＴＢ１に記録された各種の情報を消去（初期化）する。
【０１０５】
なお、操作履歴情報データＴＢ１に記録された各種の情報は、原則として、リセットキーＫＹ２（図３参照）の押下操作時においても初期化されるものとする。ただし、ジョブリスト画面ＪＧの表示中におけるリセットキーＫＹ２の押下操作は、上述したように、当該ジョブリスト画面ＪＧに対する非表示指示ＲＣ２として受け付けられる。そのため、ジョブリスト画面ＪＧの表示中におけるリセットキーＫＹ２の押下時には、操作履歴情報データＴＢ１に記録された各種の情報は例外的に初期化されないものとする。即ち、ジョブリスト画面ＪＧがタッチスクリーン６３に表示されているか否かによって、リセットキーＫＹ２の押下時における動作は異なる。図６は、リセットキーＫＹ２の押下操作時における上記動作を示すフローチャートである。
【０１０６】
リセットキーＫＹ２が押下されたと判定されると、図６の動作が実行される。まず、図６のステップＳ３２において、タッチスクリーン６３におけるジョブリスト画面ＪＧの表示有無が判定される。ジョブリスト画面ＪＧが表示されている場合には、ステップＳ３３に進む。ステップＳ３３においては、（ジョブリスト画面ＪＧの表示中における）リセットキーＫＹ２の押下操作は、ジョブリスト画面ＪＧに対する非表示指示ＲＣ２として受け付けられ、表示制御部１２は、ジョブリスト画面ＪＧを非表示化する。一方、当該ジョブリスト画面ＪＧが表示されていない場合には、ステップＳ３４に進む。ステップＳ３４においては、履歴記録部１３は、操作履歴情報データＴＢ１に記録された各種の情報を初期化する。
【０１０７】
以上のように上記実施形態に係る動作によれば、設定画面ＳＧ（図８〜図１１等参照）とジョブリスト画面ＪＧ（図１２参照）とが、ユーザからの操作入力に応じてタッチスクリーン６３に選択的に表示される。そのため、設定画面ＳＧがタッチスクリーン６３内の一部の限定された部分領域にしか表示され得ない状況を回避することが可能であるとともに、ジョブリスト画面ＪＧがタッチスクリーン６３内の他の部分領域にしか表示され得ない状況を回避することも可能である。したがって、タッチスクリーン６３（ひいては表示部６ｂ）を有効に活用することが可能である。
【０１０８】
また、例えば設定画面ＳＧ１７（図１１参照）の表示中にジョブリスト画面ＪＧ（図１２参照）に対する表示指示ＲＣ１が受け付けられる場合には、表示制御部１２は、それまで表示されていた設定画面ＳＧ１７を非表示化するとともに、設定画面ＳＧ１７に代えてジョブリスト画面ＪＧをタッチスクリーン６３に表示する。
【０１０９】
その後、ジョブリスト画面ＪＧの表示中においてジョブリスト画面ＪＧに対する非表示指示ＲＣ２が受け付けられる場合には、表示制御部１２は、ジョブリスト画面ＪＧを非表示化するとともに、設定画面ＳＧ１７を情報表示画面ＩＧとして表示する。詳細には、非表示指示ＲＣ２に応答して、ジョブリスト画面ＪＧ（図１２参照）が非表示化されるとともに、設定操作期間ＴＭ中に最後に表示された設定画面ＳＧ１７（図１１参照）が情報表示画面ＩＧとしてタッチスクリーン６３に表示される。
【０１１０】
したがって、表示指示ＲＣ１に応答してジョブリスト画面ＪＧが表示され（図５のステップＳ１７）モード設定に関する設定操作が中断されたとしても、その後、非表示指示ＲＣ２に応答して設定画面ＳＧ１７が情報表示画面ＩＧとして表示される（ステップＳ１８，Ｓ１９）。そのため、ユーザは、非表示指示ＲＣ２後において設定画面ＳＧ１７を閲覧することにより、設定操作期間ＴＭ中に最後に行った設定操作を、容易に認識することが可能である。特に、ユーザの余分な手間（ボタンＢＮ１７の押下操作等）を要することなく設定画面ＳＧ１７がタッチスクリーン６３に表示されるので、ユーザの手間を低減することができる。さらに、当該ユーザは、当該設定画面ＳＧ１７を用いて、対応する設定項目「仕上り」に関するモード設定操作を容易に再開することも可能である。
【０１１１】
なお、ここでは、設定画面ＳＧ（詳細にはＳＧ１７）の表示中にジョブリスト画面ＪＧに対する表示指示ＲＣ１が受け付けられる場合について説明したが、これに限定されず、設定画面ＳＧの非表示化後にジョブリスト画面ＪＧに対する表示指示ＲＣ１が受け付けられるようにしてもよい。
【０１１２】
例えば、設定画面ＳＧ１６の非表示化後且つ設定画面ＳＧ１７の表示前において、ジョブリスト画面ＪＧに対する表示指示ＲＣ１が受け付けられるようにしてもよい。この場合において、その後に当該ジョブリスト画面ＪＧに対する非表示指示ＲＣ２が受け付けられたときには、表示制御部１２は、ステップＳ１９において、ジョブリスト画面ＪＧを非表示化するとともに、設定操作期間ＴＭ中に最後に表示された設定画面ＳＧ１６をタッチスクリーン６３に表示すればよい。
【０１１３】
＜２．第２実施形態＞
第２実施形態は、第１実施形態の変形例である。
【０１１４】
この第２実施形態では、上述の情報表示画面ＩＧ（設定操作期間ＴＭ中の操作内容に関する画面）として、設定操作における操作履歴の一覧画面が表示される場合を例示する。
【０１１５】
以下では、図１３のフローチャートを参照しながら、第１実施形態との相違点を中心に、この第２実施形態について説明する。
【０１１６】
この第２実施形態においては、特に図１３のステップＳ５９の処理が、第１実施形態の対応ステップＳ１９（図５参照）の処理と相違する。なお、図１３のステップＳ５１〜ステップＳ５８およびステップＳ６０においては、それぞれ、図５のステップＳ１１〜ステップＳ１８およびステップＳ２０と同様の処理が実行される。
【０１１７】
具体的には、ステップＳ５９において、表示制御部１２は、非表示指示ＲＣ２に応答して、ジョブリスト画面ＪＧを非表示化するとともに、操作履歴情報データＴＢ１に基づいて設定操作における操作履歴の一覧画面ＬＧ（図１４参照）を、タッチスクリーン６３にポップアップ形式で表示する。
【０１１８】
この一覧画面ＬＧには、設定操作期間ＴＭ中における操作対象の一又は複数の設定内容が表示される。具体的には、図１４に示すように、一覧画面ＬＧには、各設定項目および各設定項目の設定内容がそれぞれボックスＢＸ１〜ＢＸ４に表示される。ボックスＢＸ１には設定項目「カラー」に関する設定内容「フルカラー」が表示され、ボックスＢＸ２には設定項目「用紙」に関する設定内容「自動」が表示される。また、ボックスＢＸ３には設定項目「両面／ページ集約」に関する設定内容「片面＞片面／２ｉｎ１」が表示され、ボックスＢＸ４には設定項目「仕上り」に関する設定内容「ステープルなし」が表示される。これらのボックスＢＸ１〜ＢＸ４は、ユーザによる選択操作（押下操作）が可能な「（仮想的な）ボタン」としても機能する。
【０１１９】
これらのボックスＢＸ１〜ＢＸ４のいずれかがユーザによって選択され押下されると、その押下操作に応答して、表示制御部１２は、一覧画面ＬＧを非表示化するとともに、選択された特定の設定項目に対応する特定の設定画面ＳＧをタッチスクリーン６３に表示する。例えば、ボックスＢＸ１が選択されると、表示制御部１２は、設定項目「カラー」に対応する設定画面ＳＧ１２（図８参照）をタッチスクリーン６３に表示する。
【０１２０】
以上の動作によれば、非表示指示ＲＣ２に応答して、ジョブリスト画面ＪＧが非表示化されるとともに、設定操作期間ＴＭ中における操作対象の複数の設定項目に関する一覧画面ＬＧがタッチスクリーン６３に表示される。そのため、ジョブリスト画面ＪＧが表示されモード設定に関する設定操作が中断されたとしても、ユーザは、設定操作の中断前の操作内容を一覧画面ＬＧにおいて容易に認識することが可能である。また、ユーザは、非表示指示ＲＣ２後において一覧画面ＬＧを閲覧することにより、設定操作期間ＴＭ中の操作内容を俯瞰して全体を把握することも可能である。
【０１２１】
また、一覧画面ＬＧにおけるボックスＢＸ１〜ＢＸ４のいずれかがユーザによって選択されると、選択された特定の設定項目に対応する特定の設定画面ＳＧが表示される。これによれば、ユーザは、一覧画面ＬＧを用いて、設定操作期間ＴＭ中の操作内容に関する特定の設定画面ＳＧ（ＳＧ１２等）を容易に呼び出すとともに、当該特定の設定画面ＳＧを用いて設定操作を容易に再開することが可能である。
【０１２２】
＜３．変形例等＞
以上、この発明の実施の形態について説明したが、この発明は上記説明した内容のものに限定されず、様々な改変が可能である。
【０１２３】
たとえば、上記第１実施形態においては、設定操作期間ＴＭ中に最後に表示された設定画面ＳＧ１７（図１１参照）が情報表示画面ＩＧとして表示される場合（図５のステップＳ１９参照）を例示したが、これに限定されない。
【０１２４】
具体的には、設定操作期間ＴＭ中に最初に表示された設定画面ＳＧ１２（図８参照）が、図５のステップＳ１９において、情報表示画面ＩＧとして表示されるようにしてもよい。詳細には、まず、表示制御部１２は、操作履歴情報データＴＢ１に記録された「表示有無」の情報（表示履歴情報）に基づいて、設定操作期間ＴＭ中に最初に表示された設定画面ＳＧを情報表示画面ＩＧとして決定する。図４に示すように設定項目「カラー」が最初（１番目）に記録されており且つ「表示有無（表示履歴情報）」に「有」が記録されているときには、表示制御部１２は、設定項目「カラー」に対応する設定画面ＳＧ１２を情報表示画面ＩＧとして決定する。そして、表示制御部１２は、ジョブリスト画面ＪＧを非表示化するとともに、設定操作期間ＴＭ中に最初に表示された設定画面ＳＧ１２を、情報表示画面ＩＧとしてタッチスクリーン６３に表示する。
【０１２５】
このような動作によれば、非表示指示ＲＣ２に応答して、ジョブリスト画面ＪＧが非表示化されるとともに、設定操作期間ＴＭ中に最初に表示された設定画面ＳＧ１２が情報表示画面ＩＧとしてタッチスクリーン６３に表示される。特に、表示指示ＲＣ１に応答してジョブリスト画面ＪＧが表示されモード設定に関する設定操作が中断されたとしても、その後、非表示指示ＲＣ２に応答して設定画面ＳＧ１２が情報表示画面ＩＧとして表示される。そのため、ユーザは、非表示指示ＲＣ２後において設定画面ＳＧ１２を閲覧することにより、設定操作期間ＴＭ中に最初に行った設定操作を、容易に認識することが可能である。特に、ユーザの余分な手間（ボタンＢＮ１２の押下操作等）を要することなく設定画面ＳＧ１２がタッチスクリーン６３に表示されるので、ユーザの手間を低減することができる。また特に、モード設定に関する設定操作を所定の手順に従って実施したいユーザにとっては、設定操作期間ＴＭ中に最初に行うべき設定操作用の画面が自動的に表示されるので、当該動作は非常に有益である。
【０１２６】
あるいは、図５のステップＳ１９等において、設定操作期間ＴＭ中において表示された２以上の設定画面ＳＧが設定操作期間ＴＭ中の設定操作順に従って表示されるようにしてもよい。
【０１２７】
たとえば、設定操作期間ＴＭ中において最初に表示された設定画面ＳＧ１２から最後に表示された設定画面ＳＧ１７までの全て（具体的には４つ）の設定画面ＳＧ１２（図８参照），ＳＧ１４（図９参照），ＳＧ１６（図１０参照），ＳＧ１７（図１１参照）が、設定操作期間ＴＭ中の表示順に従ってタッチスクリーン６３に順次に表示されるようにしてもよい。
【０１２８】
より詳細には、まず、表示制御部１２は、操作履歴情報データＴＢ１を参照して、設定操作期間ＴＭ中における設定画面ＳＧの表示順を決定する。図４に示すように、操作履歴情報データＴＢ１には、設定項目「カラー」、「用紙」、「両面／ページ集約」、「仕上り」の順に各種の情報が記録されており、それぞれの「表示有無（表示履歴情報）」には、「有」が記録されている。表示制御部１２は、操作履歴情報データＴＢ１に基づいて、「設定画面ＳＧ１２，ＳＧ１４，ＳＧ１６，ＳＧ１７」の順を設定操作期間ＴＭ中における表示順として決定する。そして、表示制御部１２は、当該表示順に従って設定画面ＳＧ１２，ＳＧ１４，ＳＧ１６を一定時間（例えば１秒間）ずつタッチスクリーン６３に順次に表示した後、最後に表示された設定画面ＳＧ１７（図１１参照）をタッチスクリーン６３に表示する。
【０１２９】
このような動作によれば、設定操作期間ＴＭ中において最初に表示された設定画面ＳＧ１２から最後に表示された設定画面ＳＧ１７までの各設定画面ＳＧ１２〜ＳＧ１７が、非表示指示ＲＣ２に応答して、設定操作期間ＴＭ中での表示順に従ってタッチスクリーン６３に順次に表示されるので、ユーザは、設定操作期間ＴＭ中に表示された設定画面ＳＧ１２〜ＳＧ１７を表示順に認識することが可能である。
【０１３０】
あるいは、設定操作期間ＴＭ中に表示された全ての設定画面のうち、一部の２以上の設定画面）が順次に表示されるようにしてもよい。具体的には、設定操作期間ＴＭ中において最後に表示された設定画面ＳＧ１７の所定数前（例えば２つ前）に表示された設定画面ＳＧ（例えばＳＧ１４）から最後に表示された設定画面ＳＧ１７までの個々の設定画面ＳＧ（例えばＳＧ１４，ＳＧ１６，ＳＧ１７）がタッチスクリーン６３に順次に表示されるようにしてもよい。
【０１３１】
あるいは、ジョブリスト画面ＪＧに対する表示指示ＲＣ１の受付時に設定画面ＳＧがタッチスクリーン６３に表示されていたか否かに応じて、ジョブリスト画面ＪＧの非表示化後に表示する情報表示画面ＩＧが決定されるようにしてもよい。以下では、図１５を参照しながら、このような変形例について説明する。
【０１３２】
この変形例においては、特に図１５のステップＳ７９〜ステップＳ８１の処理が、第１実施形態の対応ステップＳ１９（図５参照）の処理と相違する。なお、図１３のステップＳ７１〜ステップＳ７８およびステップＳ８２においては、それぞれ、図５のステップＳ１１〜ステップＳ１８およびステップＳ２０と同様の処理が実行される。
【０１３３】
具体的には、ステップＳ７９においては、ジョブリスト画面ＪＧに対する表示指示ＲＣ１受付時に設定画面ＳＧがタッチスクリーン６３に表示されていたか否かが判定される。当該設定画面ＳＧが表示指示ＲＣ１受付時点にて表示されていた場合には、ステップＳ８０に進み、当該設定画面ＳＧが表示指示ＲＣ１受付時点にて表示されていなかった場合には、ステップＳ８１に進む。
【０１３４】
ステップＳ８０においては、表示制御部１２は、非表示指示ＲＣ２に応答して、ジョブリスト画面ＪＧを非表示化するとともに、設定操作期間ＴＭ中において最後に表示された設定画面ＳＧ１７（図１１参照）を、情報表示画面ＩＧとしてタッチスクリーン６３に表示する。
【０１３５】
このように、ジョブリスト画面ＪＧに対する表示指示ＲＣ１の受付時には設定画面ＳＧ（ＳＧ１７）がタッチスクリーン６３に表示されており且つジョブリスト画面ＪＧに対する非表示指示ＲＣ２がジョブリスト画面ＪＧの表示中に受け付けられた場合には、当該非表示指示ＲＣ２に応答して、ジョブリスト画面ＪＧが非表示化されるとともに、当該設定画面ＳＧ（ＳＧ１７）が表示される。
【０１３６】
一方、ステップＳ８１においては、表示制御部１２は、非表示指示ＲＣ２に応答して、ジョブリスト画面ＪＧを非表示化するとともに、設定操作における操作履歴の一覧画面ＬＧ（図１４参照）を情報表示画面ＩＧとしてタッチスクリーン６３に表示する。
【０１３７】
このように、ジョブリスト画面ＪＧに対する表示指示ＲＣ１の受付時には設定画面ＳＧがタッチスクリーン６３に表示されておらず且つジョブリスト画面ＪＧに対する非表示指示ＲＣ２がジョブリスト画面ＪＧの表示中に受け付けられた場合には、当該非表示指示ＲＣ２に応答して、ジョブリスト画面ＪＧが非表示化されるとともに、設定操作における操作履歴の一覧画面ＬＧが表示される。
【０１３８】
このような態様によれば、表示指示ＲＣ１の受付時に設定画面ＳＧ（ＳＧ１７）が表示されていた場合には、非表示指示ＲＣ２に応答して元の設定画面ＳＧ（ＳＧ１７）が再表示されるので、当該設定画面ＳＧを利用した設定操作が容易に再開され得る。一方、表示指示ＲＣ１の受付時にいずれの設定画面ＳＧも表示されていなかった場合には、非表示指示ＲＣ２に応答して一覧画面ＬＧが表示されるので、ユーザは設定操作期間ＴＭにおける操作内容を容易に把握することができる。また、当該一覧画面ＬＧを用いて、設定操作期間ＴＭ中の操作内容に関する設定画面を容易に呼び出すことも可能である。
【０１３９】
また、上記各実施形態においては、設定画面ＳＧが表示された場合と当該設定画面ＳＧにおいてモードが設定変更された場合との双方において、操作履歴情報データＴＢ（ＴＢ１）が更新される態様を例示したが、これに限定されない。
【０１４０】
たとえば、設定画面ＳＧにおいてモードが設定変更された場合にのみ、操作履歴情報データＴＢ（ＴＢ２）が更新されるようにしてもよい。具体的には、上記の４つの設定項目（「カラー」、「用紙」、「両面／ページ集約」、「仕上り」）のうち、設定操作期間ＴＭ中において設定変更が行われた２つの設定項目（「カラー」、「両面／ページ集約」）のみが操作履歴情報データＴＢ２に記録されるようにしてもよい。なお、この場合においては、履歴記録部１３は、図１６に示すように、たとえば、「設定項目」、「設定変更有無（設定変更履歴情報）」および「設定変更内容」を操作履歴情報データＴＢ２に記録すればよく、「表示有無」を記録することを要しない。
【０１４１】
また、上記第１実施形態においては、図５のステップＳ１９において、表示制御部１２は、操作履歴情報データＴＢ１に記録された「表示有無」の情報（表示履歴情報）（図４参照）に基づいて、設定操作期間ＴＭ中に最後に表示された設定画面ＳＧ１７を情報表示画面ＩＧとして表示する場合を例示したが、これに限定されない。
【０１４２】
例えば、表示制御部１２は、設定操作期間ＴＭ中に最後に設定変更された設定項目に関する設定画面（最後の設定画面（詳細には最後の変更項目に係る設定画面）とも称する）ＳＧ１６を情報表示画面ＩＧとしてタッチスクリーン６３に表示するようにしてもよい。最後の変更項目に係る設定画面は、操作履歴情報データＴＢ１（図４参照）または操作履歴情報データＴＢ２（図１６参照）に記録された設定変更履歴情報（「設定変更内容」に記録された情報等）に基づいて、決定されて表示されればよい。
【０１４３】
あるいは、表示制御部１２は、設定操作期間ＴＭ中に「最初」に設定変更された設定項目に関する設定画面（最初の設定画面（詳細には最初の変更項目に係る設定画面））ＳＧ１２を情報表示画面ＩＧとしてタッチスクリーン６３に表示するようにしてもよい。最初の変更項目に係る設定画面は、操作履歴情報データＴＢ１（図４参照）または操作履歴情報データＴＢ２（図１６参照）に記録された設定変更履歴情報に基づいて、決定されて表示されればよい。
【０１４４】
同様に、表示制御部１２は、設定操作期間ＴＭ中に設定変更された設定項目に関する２以上の設定画面ＳＧ１２，ＳＧ１６（最初の変更項目に係る設定画面ＳＧ１２、および最後の変更項目に係る設定画面ＳＧ１６）を設定変更順に従ってタッチスクリーン６３に順次に表示するようにしてもよい。当該設定変更順は、操作履歴情報データＴＢ１（図４参照）または操作履歴情報データＴＢ２（図１６参照）に記録された設定変更履歴情報に基づいて、決定されて表示されればよい。
【０１４５】
また、上記各実施形態においては、単独の画像形成装置１で構成される画像形成システムに対して、本発明の思想を適用する場合を例示したが、これに限定されない。たとえば、図１７に示すような複数の装置（例えば、コンピュータおよびプリンタ）で構成される画像形成システムに対して本発明の思想を適用するようにしてもよい。
【０１４６】
図１７は、当該変形例に係る画像形成システム１００の構成を示す概略図である。画像形成システム１００は、プリンタ７０とコンピュータ９０とを備えている。
【０１４７】
プリンタ７０は、ネットワークＮＷを介してコンピュータ９０に接続されており、当該コンピュータ９０との間でデータの送受信が可能である。なお、ネットワークＮＷは、ＬＡＮ（Local Area Network）およびインターネットなどの各種のネットワークを含む。
【０１４８】
特に、プリンタ７０は、コンピュータ９０からのプリントジョブを実行する印刷出力装置として機能する。具体的には、コンピュータ９０は、自機にインストールされているプリンタドライバ（ソフトウェアプログラム）ＰＧ２等を介して、プリンタ７０に対してプリントジョブを送信する。一方、プリンタ７０は、コンピュータ９０から送信されたプリントジョブを受信し、当該プリントジョブを実行する。これによって、プリンタ７０による印刷出力処理が実行される。
【０１４９】
具体的には、図１７に示すように、プリンタ７０は、印刷出力部７３および通信部７４等を備えている。印刷出力部７３および通信部７４は、それぞれ、図２の印刷出力部３および通信部４と同様の処理を実行する処理部である。
【０１５０】
コンピュータ９０は、いわゆるパーソナルコンピュータとして構成され、入出力部９６および通信部９４等を備えている。入出力部９６は、コンピュータ９０に対する入力を受け付ける操作入力部９６ａと、各種情報の表示出力を行う表示部９６ｂとを有している。例えば、操作入力部９６ａとしてはキーボードおよびマウス等が設けられ、表示部９６ｂとしては液晶表示装置等が設けられる。なお、通信部９４は、図２の通信部４と同様の処理を実行する処理部である。
【０１５１】
この画像形成システム１００においては、コンピュータ９０は、プリンタドライバＰＧ２を用いて、上述の思想を実現する。具体的には、コンピュータ９０は、プリンタドライバＰＧ２を実行することによって、プリンタ７０に関する各種のモード設定を行う設定画面ＳＧを表示部９６ｂに表示させることが可能であるとともに、プリンタ７０での実行ジョブに関するジョブリスト画面ＪＧを表示部９６ｂに表示させることも可能である。詳細には、プリンタドライバＰＧ２を実行することによって、上述の入力制御部１１、表示制御部１２、および履歴記録部１３等と同様の各種の処理部がコンピュータ９０において実現され、これらの処理部１１，１２，１３等を用いることによって、表示部９６ｂでの表示動作等に関して、上記実施形態等と同様の動作が行われる。
【０１５２】
より詳細には、コンピュータ９０は、その表示部９６ｂに関しては、各種モードの設定画面ＳＧとジョブリスト画面ＪＧとを選択的に表示部９６ｂに表示する。
【０１５３】
また、コンピュータ９０は、表示部９６ｂにおけるジョブリスト画面ＪＧの表示中に当該ジョブリスト画面ＪＧに対する非表示指示ＲＣ２が受け付けられる場合には、当該ジョブリスト画面ＪＧを非表示化するとともに情報表示画面ＩＧを表示部９６ｂに表示する。
【０１５４】
その他の動作についても同様であり、表示部９６ｂでの表示に関して、タッチスクリーン６３での表示に関する上述の動作と同様の動作が実行される。
【０１５５】
このような態様によっても、上記各実施形態等と同様の効果を得ることができる。
【符号の説明】
【０１５６】
１  画像形成装置
６０  操作パネル部
６３  タッチスクリーン
ＢＮ１１〜ＢＮ１７，ＢＮ２１  ボタン，「ジョブ表示」ボタン
ＧＡ１〜ＧＡ７  画面
ＩＧ  情報表示画面
ＪＧ  ジョブリスト画面
ＫＹ１，ＫＹ２  スタートキー，リセットキー
ＲＣ１  表示指示
ＲＣ２  非表示指示
ＳＧ（ＳＧ１２，ＳＧ１４，ＳＧ１６，ＳＧ１７）  設定画面
ＴＢ１，ＴＢ２  操作履歴情報データ
【図１】
0005234097.tif 000002
【図２】
0005234097.tif 000003
【図３】
0005234097.tif 000004
【図４】
0005234097.tif 000005
【図５】
0005234097.tif 000006
【図６】
0005234097.tif 000007
【図７】
0005234097.tif 000008
【図８】
0005234097.tif 000009
【図９】
0005234097.tif 000010
【図１０】
0005234097.tif 000011
【図１１】
0005234097.tif 000012
【図１２】
0005234097.tif 000013
【図１３】
0005234097.tif 000014
【図１４】
0005234097.tif 000015
【図１５】
0005234097.tif 000016
【図１６】
0005234097.tif 000017
【図１７】
0005234097.tif 000018